(57)【要約】      （修正有）【課題】布地を用い、ソフトで温かみと和み感覚を有する斬新なブローチを提供する。【解決手段】所望形状に形成された芯材と、芯材を覆う布地１、２と、背面部に設けられた止め具とからなり、好ましくは、布地１、２が絵模様３を有し、さらに好ましくは、布地１、２に防水処理が施され、さらに好ましくは、芯材が布地１、２の端縁を挿入する溝５を有し、溝５に布地１、２の端縁が挿入され且つ固定されてなるブローチ。【選択図】図１
0003138759.tif 000002
【実用新案登録請求の範囲】
【請求項１】
所望形状に形成された芯材と、該芯材を覆う布地と、背面部に設けられた止め具と、からなることを特徴とするブローチ。
【請求項２】
前記布地が絵柄を有することを特徴とする請求項１に記載のブローチ。
【請求項３】
前記布地に防水加工を施したことを特徴とする請求項１又は２に記載のブローチ。
【請求項４】
前記芯材が布地の端縁を挿入する溝を有することを特徴とする請求項１、２又は３に記載のブローチ
【請求項５】
前記布地の端縁が前記芯材の溝に挿入され且つ固定されてなることを特徴とする請求項４に記載のブローチ。
【考案の詳細な説明】
【技術分野】
【０００１】
本考案は、布地を利用したブローチに関する。
【背景技術】
【０００２】
従来提供されているブローチ等の装飾品は、専ら、貴金属、宝石、真珠等の材料によって構成されている。一例を挙げれば、貴金属製の基盤、該基盤上に配設される絵画又は写真並びに該絵画又は写真を被覆する水晶板よりなる装飾品であり、該水晶板は表・裏面側をほぼ同一の曲率とした凸状の滑らかな湾曲体とし、該水晶板の端縁部により絵画又は写真を押さえ且つ該水晶板は、その端縁部の表面側を該基盤の周囲から立ち上げた貴金属製の立ち上げ部によって固定されてなる装飾品などである（特許文献１）。
【特許文献１】実用新案登録第３１３４３４３号公報
【考案の開示】
【考案が解決しようとする課題】
【０００３】
前記貴金属、宝石、真珠等からなるブローチは、煌びやかであり、衆人の欲するところであり、装飾効果も大きいものである。
【０００４】
本考案は、布地、例えば、端切れなどの各種の布地を有効に利用し、従来の貴金属、宝石、真珠等からなるブローチでは得ることができない、ソフトで、温かみと和み感覚を有する斬新なブローチを提供することを目的とする。
【課題を解決するための手段】
【０００５】
前記目的達成のために、本考案にかかるブローチは、所望形状に形成された芯材と、該芯材を覆う布地と、背面部に設けられた止め具と、からなることを特徴とする（請求項１）。
【０００６】
前記本考案は、前記芯材が所望の形状に形成される。該所望の形状としては、例えば、花、動物、果物、その他のものを適宜デザイン化した立体形状である。そして、前記芯材の外周面が、布地、例えば、端切れなどで覆われる。さらに背面部には衣服に止着するための止め具が設けられる。
【０００７】
前記構成の本考案に係るブローチは、前記従来の貴金属等からなるブローチに比べて、ソフト、温かみと和み感覚を有しブローチとして斬新である。
【０００８】
本考案の実施の一形態は、前記布地が絵柄を有することを特徴とする（請求項２）。この実施の形態における布地の絵柄は、特別の絵柄を準備する必要はなく、手もとにある絵柄を有する端切れ等で十分である。このように絵柄を有する布地を使用することより、全てがオリジナルとなり、さらに斬新さが強調される。
【０００９】
本考案の他の実施の一形態は、前記布地に防水加工を施したことを特徴とする（請求項３）。この実施の一形態によれば、外出時に誤ってブローチを雨水にさらした場合であっても雨水が布地にしみ込むことがなく、したがって、汚損が防止される。
【００１０】
本考案の他の実施の一形態は、前記芯材が布地の端縁を挿入する溝を有することを特徴とする（請求項４）。この実施の一形態によれば、前記溝に布地の端縁を挿入、さらに固定することにより前記布地をきれいに展延させられるとともに前記芯材に対して布地が一体化される。
【００１１】
本考案の他の実施の一形態は、前記布地の端縁が前記芯材の溝に挿入され且つ固定されてなることを特徴とする（請求項５）。この実施の一形態によれば、前記布地の端縁が前記芯材の溝内に完全に隠された状態になり体裁がよいとともに、使用を継続した場合にも布地の端縁の解れが防止される。
【考案の効果】
【００１２】
本考案によれば、従来の貴金属、宝石、真珠等からなるブローチでは得ることができない、ソフトで、温かみと和み感覚を有する斬新なブローチを提供することができる。
【考案を実施するための最良の形態】
【００１３】
以下、本考案の実施の一形態を、図面を参照して説明する。図１には、野菜の茄子を象ったブローチＢの正面部斜視図が示され、図２には、前記ブローチＢの背面部斜視図が示されている。この実施例では、茄子の本体部を形成する布地１とへた部を構成する布地２が異なる布地で構成されている。したがって、前記茄子の本体部ａを形成する布地１として紫色系統の布地を使用することが好ましく、前記へた部ｂを形成する布地２としては緑色系統の布地を使用することが望ましい。もちろん布地１、２の選択は自由である。図中、３はたまたま利用する布地１に施されていた絵模様である。
【００１４】
図３には、芯材４の正面部斜視図が示され、図４には、前記芯材４の背面部斜視図が示されている。つぎに、前記ブローチの製造方法について説明する。まず、所望の形状の芯材４が形成される。図面実施の一形態では、芯材４は茄子を象って形成されている。
【００１５】
前記芯材４は、例えば、桐塑、紙粘土、樹脂粘土、軽量粘土などによって所望の立体形状に形成される。なお、軽量であることが望まれる。さらに所定の強度を保つ素材が選択使用される。
【００１６】
つぎに、前記芯材４の正面部の、前記茄子の本体部ａとへた部ｂの境い目に対応する位置に溝５が形成され、前記芯材４の背面部の、輪郭線の内側全体に溝６が形成されている。
【００１７】
つぎに、前記茄子の本体部ａの形状に対応させて切り取った布地１及び前記茄子部のへた部ｂの形状に対応させて切り取った布地２が準備される。該布地２及び前記布地１は、予め、その端縁が前記溝５及び６内に挿入される大きさに切り取り構成される。
【００１８】
つぎに、前記芯材４の溝５及び６内に接着剤を入れ、前記芯材４を前記布地１及び２で覆うとともに、該布地１及び２の端縁を前記溝５及び６内にへら等の道具を使用して挿入する。
【００１９】
その結果、前記接着剤の乾燥とともに、前記布地１及び２の端縁が、前記溝５及び６内の接着剤により前記芯材４に固着されて、該芯材４と一体に構成される。その後、背面部に止め具７をネジ等８により固着すればよい。
【００２０】
前記構成の本考案のブローチは、従来の貴金属からなるブローチとは異なった趣を有する。
【図面の簡単な説明】
【００２１】
【図１】本考案の実施の一形態に係るブローチの正面部斜視図である。
【図２】本考案の実施の一形態に係るブローチの背面部斜視図である。
【図３】本考案の実施の一形態に係る芯材の正面部斜視図である。
【図４】本考案の実施の一形態に係る芯材の背面部斜視図である。
【符号の説明】
【００２２】
１    布地
２    布地
３    絵模様
４    芯材
５、６ 溝
７    止め具
【図１】
0003138759.tif 000003
【図２】
0003138759.tif 000004
【図３】
0003138759.tif 000005
【図４】
0003138759.tif 000006